(57)【要約】【課題】投射画像の色ムラを抑制できるプロジェクターを提供する。【解決手段】プロジェクター１は、複数の色光を画像情報に応じてそれぞれ変調する複数の光変調装置と、各光変調装置にて変調された各色光を合成する色合成光学装置と、色合成光学装置にて合成された各色光を投射する投射光学装置３６と、色合成光学装置に対して各色光の光路下流側に配設され、色合成光学装置から出射された各色光を円偏光に変換する位相差板５Ａとを備える。【選択図】図４
2010262124.tif 000002
【特許請求の範囲】
【請求項１】
複数の色光を画像情報に応じてそれぞれ変調する複数の光変調装置と、各前記光変調装置にて変調された各色光を合成する色合成光学装置と、前記色合成光学装置にて合成された各色光を投射する投射光学装置とを備えたプロジェクターであって、
前記色合成光学装置に対して前記各色光の光路下流側に配設され、前記色合成光学装置から出射された各色光を円偏光に変換する位相差板を備える
ことを特徴とするプロジェクター。
【請求項２】
請求項１に記載のプロジェクターにおいて、
前記位相差板は、
前記投射光学装置に対して前記各色光の光路下流側に配設されている
ことを特徴とするプロジェクター。
【請求項３】
請求項１または請求項２に記載のプロジェクターにおいて、
前記投射光学装置に対して前記各色光の光路下流側に配設され、前記投射光学装置からの各色光を被投射面に向けて反射する反射ミラーを備える
ことを特徴とするプロジェクター。
【請求項４】
請求項３に記載のプロジェクターにおいて、
前記位相差板は、
１／８波長板で構成され、前記反射ミラーの反射面に貼り付けられている
ことを特徴とするプロジェクター。
【請求項５】
請求項１から請求項４のいずれかに記載のプロジェクターにおいて、
前記位相差板に対して前記各色光の光路下流側に配設され、所定の波長領域のみを透過するカラーフィルターを備える
ことを特徴とするプロジェクター。
【発明の詳細な説明】
【技術分野】
【０００１】
本発明は、プロジェクターに関する。
【背景技術】
【０００２】
従来、プロジェクターにおいて、液晶パネル等の３つの光変調装置にて変調されたＲ（赤）、Ｇ（緑）、Ｂ（青）の各色光を色合成光学装置にて合成してカラー画像を形成する構成が多用されている。
具体的には、色合成光学装置は、略Ｘ字状に交差する一対の誘電体多層膜を有する。そして、色合成光学装置において、Ｇ色光が一対の誘電体多層膜を透過するとともに、Ｒ，Ｂの各色光が一対の誘電体多層膜にてＧ色光の進行方向に沿うようにそれぞれ反射されることで、各色光が合成される。
【０００３】
また、従来、Ｓ偏光及びＰ偏光の反射率特性の違いを利用して、上述した色合成光学装置での各色光の合成にあたり、各色光の光量の損失を抑制する技術が提案されている（例えば、特許文献１参照）。
具体的に、特許文献１に記載の技術では、色合成光学装置の一対の誘電体多層膜に対して、Ｇ色光がＰ偏光で入射し、Ｒ，Ｂの各色光がＳ偏光で入射するように構成している。
すなわち、Ｇ色光は、一対の誘電体多層膜に対してＰ偏光として入射するため、一対の誘電体多層膜を効果的に透過し、光量の損失が低減される。一方、Ｒ，Ｂの各色光は、一対の誘電体多層膜に対してＳ偏光として入射するため、一対の誘電体多層膜にて効果的に反射され、光量の損失が低減される。
【先行技術文献】
【特許文献】
【０００４】
【特許文献１】特開２００５−４３９１３号公報
【発明の概要】
【発明が解決しようとする課題】
【０００５】
特許文献１に記載の技術では、色合成光学装置にて上述したように各色光が合成されるため、プロジェクターから投射される各色光も、Ｇ色光（第１の直線偏光光）と、Ｒ，Ｂの各色光（第２の直線偏光光）とが互いに直交する偏光方向を有するものとなる。
そして、第１の直線偏光光でスクリーンや天井面等の被投射面に入射する色光（Ｇ色光）と、第２の直線偏光光で被投射面に入射する色光（Ｒ，Ｂの各色光）とが存在している場合には、以下に示すように投射画像に色ムラが生じる恐れがある。
【０００６】
すなわち、被投射面に凹凸がある場合には、プロジェクターから投射された各色光は、被投射面上のある位置において、Ｓ偏光及びＰ偏光の各反射率が大きく異なる入射角度で入射する。
例えば、第１の直線偏光光であるＧ色光がＰ偏光で被投射面上の上記ある位置に入射し、第２の直線偏光光であるＲ，Ｂの各色光がＳ偏光で被投射面上の上記ある位置に入射すると、Ｇ色光の反射率が低く、Ｒ，Ｂの各色光の反射率が高くなる。このため、被投射面において、投射画像の上記ある位置での色バランスが所望の色バランスからずれたものとなり、投射画像に色ムラが生じてしまう。
【０００７】
本発明の目的は、投射画像の色ムラを抑制できるプロジェクターを提供することにある。
【課題を解決するための手段】
【０００８】
本発明のプロジェクターは、複数の色光を画像情報に応じてそれぞれ変調する複数の光変調装置と、各前記光変調装置にて変調された各色光を合成する色合成光学装置と、前記色合成光学装置にて合成された各色光を投射する投射光学装置とを備えたプロジェクターであって、前記色合成光学装置に対して前記各色光の光路下流側に配設され、前記色合成光学装置から出射された各色光を円偏光に変換する位相差板を備えることを特徴とする。
【０００９】
本発明では、色合成光学装置に対して光路下流側には、色合成光学装置から出射された各色光を円偏光に変換する位相差板が配設されている。このことにより、上述したように色合成光学装置での各色光の光量の損失を抑制するために色合成光学装置に入射する各色光の偏光の状態を異なるように構成した場合であっても、位相差板にて各色光を同一の偏光の状態（円偏光）に揃えて被投射面に投射することができる。このため、被投射面に入射する各色光の反射率特性を同一にできる。
すなわち、各色光の反射率が同一のものとなるので、被投射面に凹凸がある場合であっても、被投射面上の種々の位置において、投射画像の色バランスを所望の色バランスに設定でき、投射画像に色ムラが生じることを抑制できる。
【００１０】
本発明のプロジェクターでは、前記位相差板は、前記投射光学装置に対して前記各色光の光路下流側に配設されていることが好ましい。
本発明では、位相差板が投射光学装置に対して光路下流側に配設されているので、色合成光学装置及び投射光学装置間のような小さい隙間に位相差板を配設する場合と比較して、位相差板を自由に配設することが可能となり、設計の自由度を向上できる。
【００１１】
本発明のプロジェクターでは、前記投射光学装置に対して前記各色光の光路下流側に配設され、前記投射光学装置からの各色光を被投射面に向けて反射する反射ミラーを備えることが好ましい。
本発明では、投射光学装置に対して光路下流側には、反射ミラーが配設されている。このことにより、例えば、投射光学装置から略水平方向に沿って投射された各色光を反射ミラーにて天井面に向けて反射させ、天井面に投射画像を表示できる。すなわち、反射ミラーを設けるという簡単な構成で、天井面に投射画像を表示するプロジェクターを構成できる。
ところで、天井面としては、凹凸が存在している場合が多いものである。すなわち、特許文献１に記載のプロジェクターから天井面に各色光を投射した場合には、上述した投射画像の色ムラが特に生じやすいものである。
本発明では、凹凸の存在しやすい天井面に投射画像を表示するプロジェクターに上述した位相差板を採用することで、上述した投射画像の色ムラを抑制できる、という効果を好適に図れる。
【００１２】
本発明のプロジェクターでは、前記位相差板は、１／８波長板で構成され、前記反射ミラーの反射面に貼り付けられていることが好ましい。
本発明では、反射ミラーの反射面には、位相差板としての１／８波長板が貼り付けられている。このことにより、例えば、投射光学装置から投射された直線偏光光である各色光は、反射ミラーに入射、及び反射ミラーにて反射される際に、１／８波長板を２回、透過する。すなわち、直線偏光光である各色光の位相をπ／２ずらして、各色光の偏光の状態を円偏光に揃えることができる。
また、位相差板が反射ミラーの反射面に貼り付けられているため、位相差板を独立して支持する部材を省略でき、部材の省略により、構造の簡素化及び軽量化が図れる。
【００１３】
本発明のプロジェクターでは、前記位相差板に対して前記各色光の光路下流側に配設され、所定の波長領域のみを透過するカラーフィルターを備えることが好ましい。
ところで、カラーフィルターは、所定の波長領域のみを透過するフィルターであり、例えば、色合成光学装置からの各色光が入射すると、ある波長領域の透過を制限し、投射画像の色純度やコントラストを向上する機能を有するものである。
また、このようなカラーフィルターは、入射する光束の偏光の状態によって、その特性が異なるものである。すなわち、特許文献１に記載のプロジェクターから投射され、偏光の状態が異なる各色光がカラーフィルターに入射した場合には、カラーフィルターの特性が色光に応じて異なるものとなり、カラーフィルターを上述したように機能させることが難しい。
【００１４】
本発明では、カラーフィルターは、位相差板に対して光路下流側に配設されているので、位相差板にて偏光の状態が揃えられた各色光がカラーフィルターに入射することとなる。すなわち、入射する光束の偏光の状態によってその特性が異なるカラーフィルターを採用した場合であっても、カラーフィルターにより投射画像の色純度やコントラストを良好に向上させることができる。
【図面の簡単な説明】
【００１５】
【図１】第１実施形態におけるプロジェクターの外観を示す斜視図。
【図２】第１実施形態におけるプロジェクター本体の内部構成を模式的に示す図。
【図３】図２の一部を拡大した図であり、光学装置及び投射レンズにおける各色光の偏光の状態を示す図。
【図４】第１実施形態における天井投射用着脱装置の構成を模式的に示す図。
【図５】第１実施形態の効果を説明するための図であり、天井面を拡大した図。
【図６】第１実施形態の効果を説明するための図であり、Ｓ偏光、Ｐ偏光、及び円偏光の各偏光の状態における入射角度に対する反射率特性を示す図。
【図７】第２実施形態におけるプロジェクター１の外観を示す斜視図。図７（Ａ）はシャッターが閉位置に位置付けられた状態を示す図であり、図７（Ｂ）はシャッターが開位置に位置付けられた状態を示す図。
【図８】第２実施形態におけるシャッターの構成を模式的に示す図。
【発明を実施するための形態】
【００１６】
[第１実施形態]
以下、本発明の第１実施形態を図面に基づいて説明する。
〔プロジェクターの構成〕
図１は、第１実施形態におけるプロジェクター１の外観を示す斜視図である。具体的に、図１は、投射レンズ３６が配置される前面側からプロジェクター１を見た斜視図である。
なお、図１では、説明の便宜上、天井投射用着脱装置１Ｂを２点鎖線で図示している。
プロジェクター１は、画像情報に応じた画像を形成して天井面やスクリーン等の被投射面に投射する。このプロジェクター１は、図１に示すように、プロジェクター本体１Ａと、天井投射用着脱装置１Ｂとを備える。
【００１７】
〔プロジェクター本体の構成〕
図２は、プロジェクター本体１Ａの内部構成を模式的に示す図である。具体的に、図２は、プロジェクター本体１Ａの内部構成を天面側（上方側）から見た平面図である。
プロジェクター本体１Ａは、図１または図２に示すように、外装を構成する外装筐体２と、外装筐体２内部に収納される光学ユニット３（図２）とで大略構成されている。
外装筐体２は、図１に示すように、略直方体形状を有する。
この外装筐体２において、前面側の側壁部２１には、図１に示すように、投射レンズ３６から投射された画像を通過させるための開口部２１１が形成されている。
【００１８】
光学ユニット３は、制御装置（図示略）による制御の下、画像情報（画像信号）に応じて画像を形成して投射する。
この光学ユニット３は、図２に示すように、光源ランプ３１１及びリフレクター３１２を有する光源装置３１と、レンズアレイ３２１，３２２、偏光変換素子３２３、及び重畳レンズ３２４を有する照明光学装置３２と、ダイクロイックミラー３３１，３３２、及び反射ミラー３３３を有する色分離光学装置３３と、入射側レンズ３４１、リレーレンズ３４３、及び反射ミラー３４２，３４４を有するリレー光学装置３４と、光変調装置としての３つの液晶パネル３５１、３つの入射側偏光板３５２、３つの出射側偏光板３５３、２つの１／２波長板３５４、及び色合成光学装置としてのクロスダイクロイックプリズム３５５を有する光学装置３５と、投射光学装置としての投射レンズ３６と、上述した各光学部品３１〜３５を内部に収納するとともに投射レンズ３６を支持する光学部品用筐体３７とを備える。
【００１９】
そして、光学ユニット３では、上述した構成により、光源装置３１から出射され照明光学装置３２を介した光束は、色分離光学装置３３にてＲ，Ｇ，Ｂの３つの色光に分離される。また、分離された各色光は、各液晶パネル３５１にて画像情報に応じてそれぞれ変調される。変調された各色光は、プリズム３５５にて合成されて画像となり、投射レンズ３６にてスクリーンに投射される。
【００２０】
図３は、図２の一部を拡大した図であり、光学装置３５及び投射レンズ３６における各色光の偏光の状態を示す図である。
本実施形態では、光学ユニット３が上述した構成を有していることにより、光学装置３５に入射するＲ，Ｇ，Ｂの各色光は、以下に示すように、偏光方向を変えながら進行する。
先ず、光源装置３１から出射された光束の偏光方向は、偏光変換素子３２３により、以下に示す偏光方向に変換される。
なお、以下では、図２中、紙面に直交する偏光方向を有する直線偏光光を第２の直線偏光光と記載し、第２の直線偏光光の偏光方向に直交し、図２中、紙面に平行する偏光方向を有する直線偏光光を第１の直線偏光光として記載する。図３でも同様に記載する。
また、以下では、説明の便宜上、Ｒ色光側の液晶パネル３５１、入射側偏光板３５２、出射側偏光板３５３、及び１／２波長板３５４をそれぞれ３５１Ｒ，３５２Ｒ，３５３Ｒ，３５４Ｒとする（図２、図３参照）。Ｇ色光側及びＢ色光側も同様に記載する（図２、図３参照）。
【００２１】
偏光変換素子３２３は、図２に示すように、光学部品用筐体３７内に設定された照明光軸Ａに対して傾斜配置される偏光分離膜３２３Ａ及び反射膜３２３Ｂを交互に配列した構成を具備する。そして、偏光分離膜３２３Ａは、光源装置３１から出射された光束に含まれる第１の直線偏光光（Ｐ偏光光）及び第２の直線偏光光（Ｓ偏光光）のうち、第１の直線偏光光を透過し、第２の直線偏光光を反射する。反射された第２の直線偏光光は、反射膜３２３Ｂによって反射され、照明光軸Ａに沿った方向に出射される。また、偏光分離膜３２３Ａを透過した第１の直線偏光光は、偏光変換素子３２３の光出射側の端面に設けられる１／２波長板３２３Ｃによって第２の直線偏光光に変換される。
すなわち、光源装置３１から出射された光束の略全ては、偏光変換素子３２３にて第２の直線偏光光（Ｓ偏光光）に変換されることとなる。
そして、偏光変換素子３２３から出射された光束は、色分離光学装置３３にて各色光に分離され、各色光が第２の直線偏光光として光学装置３５に入射することとなる。
【００２２】
３つの入射側偏光板３５２は、偏光変換素子３２３で揃えられた光束の偏光方向と略同一方向の透過軸を有する。すなわち、光学装置３５に入射した各色光（第２の直線偏光光Ｓ（図３））は、図３に示すように、偏光方向が変更されることなく、各入射側偏光板３５２から第２の直線偏光光Ｓとして出射される。
３つの出射側偏光板３５３は、入射側偏光板３５２の透過軸に対して照明光軸Ａを中心として９０°回転した透過軸を有する。すなわち、各入射側偏光板３５２から出射され、各液晶パネル３５１を介して各出射側偏光板３５３に入射した各色光は、図３に示すように、各出射側偏光板３５３から第１の直線偏光光Ｐとして出射される。
【００２３】
ここで、１／２波長板３５４は、図２または図３に示すように、Ｒ，Ｂの各色光側において、各出射側偏光板３５３Ｒ，３５３Ｂとプリズム３５５との間に配設されている。
すなわち、図３に示すように、各出射側偏光板３５３から出射されたＲ，Ｇ，Ｂの各色光（第１の直線偏光光Ｐ）のうち、Ｒ，Ｂの各色光のみが１／２波長板３５４Ｒ，３５４Ｂにて第２の直線偏光光Ｓに変換される。
【００２４】
プリズム３５５は、図３に示すように、平面視で略Ｘ字状に交差する一対の誘電体多層膜３５５Ａ，３５５Ｂを有する。一方の誘電体多層膜３５５ＡはＲ色光を反射するものであり、他方の誘電体多層膜３５５ＢはＢ色光を反射するものであり、これらの誘電体多層膜３５５Ａ，３５５ＢによってＲ，Ｂの各色光は曲折され、Ｇ色光の進行方向と揃えられることにより、３つの色光が合成されて画像となる。
ここで、プリズム３５５に入射する各色光のうち、Ｇ色光は、第１の直線偏光光Ｐとしてプリズム３５５に入射するため、各誘電体多層膜３５５Ａ，３５５ＢにＰ偏光で入射することとなる。すなわち、Ｇ色光は、各誘電体多層膜３５５Ａ，３５５Ｂを効果的に透過し、光の利用効率が向上することとなる。
一方、Ｒ，Ｂの各色光は、１／２波長板３５４Ｒ，３５４Ｂにて第２の直線偏光光Ｓに変換されているため、各誘電体多層膜３５５Ａ，３５５ＢにＳ偏光で入射することとなる。すなわち、Ｒ，Ｂの各色光は、各誘電体多層膜３５５Ａ，３５５Ｂにて効果的に反射し、光の利用効率が向上することとなる。
そして、プリズム３５５から出射される第１の直線偏光光ＰのＧ色光と第２の直線偏光光ＳのＲ，Ｂの各色光とが投射レンズ３６にて投射される。
【００２５】
〔天井投射用着脱装置の構成〕
図４は、天井投射用着脱装置１Ｂの構成を模式的に示す図である。具体的に、図４は、天井投射用着脱装置１Ｂを側方から見た図である。
天井投射用着脱装置１Ｂは、外装筐体２における前面側の側壁部２１に対して着脱可能に取り付けられる。そして、天井投射用着脱装置１Ｂが外装筐体２に取り付けられることで、投射レンズ３６から投射され開口部２１１を介したＲ，Ｇ，Ｂの各色光（画像）が天井投射用着脱装置１Ｂにて天井面ＲＳ（図４）に向けて反射され、天井面ＲＳに投射画像が表示される。
【００２６】
この天井投射用着脱装置１Ｂは、図４に示すように、反射ミラー４と、位相差板としての１／８波長板５Ａと、カラーフィルター６と、これら各部材４，５Ａ，６を一体化し外装筐体２に取り付けるための取付部材（図示略）とを備える。
すなわち、天井投射用着脱装置１Ｂが外装筐体２に取り付けられた状態では、各部材４，５Ａ，６は、投射レンズ３６に対してＲ，Ｇ，Ｂの各色光の光路下流側に配設されることとなる。
反射ミラー４は、天井投射用着脱装置１Ｂが外装筐体２に取り付けられた状態で、図４に示すように、反射面４Ａが上方側に向くように投射レンズ３６から投射される各色光の光軸に対して略４５°傾斜して配設される。そして、反射ミラー４は、投射レンズ３６から投射された各色光を略９０°曲折させて、天井面ＲＳに向けて反射する。
【００２７】
１／８波長板５Ａは、図４に示すように、反射ミラー４の反射面４Ａに貼り付けられている。すなわち、１／８波長板５Ａに入射した光束は、反射ミラー４の反射面４Ａに到達する際に１度、１／８波長板５Ａを透過するとともに、反射面４Ａにて反射されることで１／８波長板５Ａを再度、透過する。
このため、投射レンズ３６にて投射された第１の直線偏光光のＧ色光は、反射面４Ａに入射、及び反射面４Ａにて反射されることで、１／８波長板５Ａを２度、透過し、位相差がπ／２ずらされて、偏光の状態が円偏光となる。
また、第２の直線偏光光のＲ，Ｂの各色光も同様に、反射面４Ａに入射、及び反射面４Ａにて反射されることで、偏光の状態が円偏光となる。
すなわち、１／８波長板５Ａは、３つの各色光の偏光の状態を円偏光に揃える。
【００２８】
カラーフィルター６は、天井投射用着脱装置１Ｂの各部材４，５Ａ，６のうち、最も光路下流側に配設され、入射した光束のうち所定の波長領域の光束のみを透過させ、他の波長領域の光束を除去する。すなわち、カラーフィルター６は、天井面ＲＳに表示される投射画像の色純度やコントラストの向上を図る。
【００２９】
上述した第１実施形態によれば、以下の効果がある。
図５及び図６は、前記第１実施形態の効果を説明するための図である。具体的に、図５は、天井面ＲＳを拡大した図である。図６は、Ｓ偏光、Ｐ偏光、及び円偏光の各偏光の状態における入射角度に対する反射率特性を示す図である。
ところで、例えば、１／８波長板５Ａを省略した場合には、凹凸のある天井面ＲＳ（図５）には、第１の直線偏光光であるＧ色光、及び第２の直線偏光光であるＲ，Ｂの各色光がそれぞれ投射されることとなる。
ここで、例えば、天井面ＲＳにおける領域Ａｒ（図５）に対して、Ｇ色光がＰ偏光で入射し、Ｒ，Ｂの各色光がＳ偏光で入射した場合（各色光が６０°程度の角度で入射した場合）には、図６に示すように、Ｇ色光の反射率が低く、Ｒ，Ｂの各色光の反射率が高くなる。すなわち、投射画像の領域Ａｒでの色バランスが所望の色バランスからずれたものとなり、投射画像に色ムラが生じてしまう。
【００３０】
本実施形態では、プリズム３５５に対して光路下流側には、プリズム３５５から出射された各色光を円偏光に変換する１／８波長板５Ａが配設されている。このことにより、プリズム３５５から出射される各色光の偏光の状態が異なるものであっても、１／８波長板５Ａにて各色光を同一の偏光の状態（円偏光）に揃えて天井面ＲＳに投射することができる。このため、天井面ＲＳに入射する各色光の反射率特性を同一にできる（図６）。
すなわち、各色光の反射率が同一のものとなるので、天井面ＲＳの領域Ａｒ等の種々の位置において、投射画像の色バランスを所望の色バランスに設定でき、投射画像に色ムラが生じることを抑制できる。
【００３１】
また、位相差板としての１／８波長板５Ａが投射レンズ３６に対して光路下流側に配設されているので、プリズム３５５及び投射レンズ３６間のような小さい隙間に位相差板を配設する場合と比較して、位相差板を自由に配設することが可能となり、設計の自由度を向上できる。
【００３２】
さらに、投射レンズ３６に対して光路下流側には、反射ミラー４が配設されている。このことにより、投射レンズ３６から略水平方向に沿って投射された各色光を反射ミラー４にて天井面ＲＳに向けて投射させ、天井面ＲＳに投射画像を表示できる。すなわち、反射ミラー４を設けるという簡単な構成で、天井面ＲＳに投射画像を表示するプロジェクター１を構成できる。
そして、本実施形態のように、凹凸が存在しやすい天井面ＲＳに投射画像を表示するプロジェクター１に上述した１／８波長板５Ａを採用することで、上述した投射画像の色ムラを抑制できる、という効果を好適に図れる。
また、１／８波長板５Ａが反射ミラー４の反射面４Ａに貼り付けられているため、１／８波長板５Ａを独立して支持する部材を省略でき、部材の省略により、天井投射用着脱装置１Ｂの構造の簡素化及び軽量化が図れる。
【００３３】
また、カラーフィルター６は、１／８波長板５Ａに対して光路下流側に配設されているので、１／８波長板５Ａにて偏光の状態が揃えられた各色光がカラーフィルター６に入射することとなる。すなわち、入射する光束の偏光の状態によってその特性が異なるカラーフィルター６を採用した場合であっても、カラーフィルター６により投射画像の色純度やコントラストを良好に向上させることができる。
さらに、入射する光束の偏光の状態が異なるものであっても同一の特性を有するカラーフィルターを製造する必要もなく、汎用のカラーフィルター６を採用することができるため、プロジェクター１の低コスト化も図れる。
【００３４】
[第２実施形態]
次に、本発明の第２実施形態を図面に基づいて説明する。
以下の説明では、前記第１実施形態と同様の構造及び同一部材には同一の符号を付して、その詳細な説明は省略または簡略化する。
図７は、第２実施形態におけるプロジェクター１の外観を示す斜視図である。
前記第１実施形態では、１／８波長板５Ａ及びカラーフィルター６は、天井投射用着脱装置１Ｂとして一体化され、プロジェクター本体１Ａからの画像を天井面ＲＳに投射する際に用いる構成としていた。
これに対して第２実施形態では、位相差板としての１／４波長板５Ｂ（図８参照）及びカラーフィルター６（図８参照）は、プロジェクター本体１Ａに具備され、投射レンズ３６を保護するシャッター７（図７）の一部として構成されている。
【００３５】
図８は、シャッター７の構成を模式的に示す図である。具体的に、図８は、シャッター７を側方から見た図であり、閉位置（図７（Ａ））に位置付けられている状態を示している。
シャッター７は、外装筐体２に対して、開口部２１１を閉塞する閉位置（図７（Ａ））、または、開口部２１１を開放する開位置（図７（Ｂ））に移動可能に取り付けられている。このシャッター７は、図８に示すように、開口部２１１を閉塞するガラス等の透光性基板８と、透光性基板８の光入射側及び光出射側の各端面にそれぞれ貼り付けられた１／４波長板５Ｂ及びカラーフィルター６と、透光性基板８を支持し外装筐体２に対してシャッター７を閉位置または開位置に移動可能に取り付けるための移動部材（図示略）とを備える。
【００３６】
以上の構成により、シャッター７が閉位置に位置付けられた状態では、投射レンズ３６にて投射された各色光は、１／４波長板５Ｂ、透光性基板８、及びカラーフィルター６の順に透過し、スクリーンＳＣ（図８）に投射されることとなる。
そして、投射レンズ３６にて投射された第１の直線偏光光のＧ色光、及び第２の直線偏光光のＲ，Ｂの各色光は、１／４波長板５Ｂを透過することで、位相がπ／２ずらされて、前記第１実施形態と同様に、偏光の状態が円偏光となる。
【００３７】
上述した第２実施形態によれば、前記第１実施形態と同様の効果の他、以下の効果がある。
本実施形態では、天井投射用着脱装置１Ｂではなく、シャッター７に１／４波長板５Ｂが設けられている。すなわち、天井面ＲＳの他、スクリーンＳＣにも凹凸が存在する場合もあるため、１／４波長板５Ｂにて各色光の偏光の状態を円偏光に揃えることで、スクリーンＳＣに表示される投射画像の色ムラを抑制できる。
また、上記の構成であれば、スクリーンＳＣの他、天井面ＲＳ以外の凹凸が存在しやすい室内の壁面にも投射画像を表示させることが可能である。また、投射レンズ３６が上方に向く姿勢でプロジェクター１自体を設置すれば、前記第１実施形態と同様に天井面ＲＳに投射画像を表示することも可能である。
以上のように凹凸が存在しやすい天井面ＲＳや室内の壁面に投射する場合であっても、１／４波長板５Ｂにて各色光の偏光の状態を円偏光に揃えることができるため、投射画像の色ムラを十分に抑制できる。
【００３８】
また、１／４波長板５Ｂがシャッター７に設けられているため、投射画像に色ムラが生じている場合にはシャッター７を閉位置に移動し、投射画像に色ムラが生じていない場合にはシャッター７を開位置に移動すればよく、投射画像の状態に応じて利用者にシャッター７の位置を選択させることができ、利便性の向上が図れる。
同様に、カラーフィルター６がシャッター７に設けられているため、投射画像の色純度やコントラストを向上させたい場合にはシャッター７を閉位置に移動すればよく、利用者に投射画像の画質を選択させることができ、利便性の向上が図れる。
【００３９】
なお、本発明は前述の実施形態に限定されるものではなく、本発明の目的を達成できる範囲での変形、改良等は本発明に含まれるものである。
前記各実施形態では、位相差板５Ａ，５Ｂは、投射レンズ３６に対して光路下流側に配設されていたが、これに限らず、プリズム３５５と投射レンズ３６との間に配設しても構わない。このように配設する場合には、位相差板として１／４波長板を採用すればよい。また、このように配設する場合には、１／４波長板をプリズム３５５に直接、貼り付けてもよく、あるいは、プリズム３５５から離間して配設しても構わない。
【００４０】
前記各実施形態において、プロジェクター１は、３つの液晶パネル３５１を備える構成としたが、本発明はこれに限らない。すなわち、２つ、あるいは、４つ以上の液晶パネルを用いたプロジェクターにも、本発明を適用可能である。
前記各実施形態において、光変調装置としては、透過型の液晶パネルの他、反射型の液晶パネルを採用しても構わない。
前記各実施形態では、フロント投射型のプロジェクターの例のみを挙げたが、本発明は、スクリーンを備え、該スクリーンの裏面側から投射を行うリアタイプのプロジェクターにも適用可能である。
【産業上の利用可能性】
【００４１】
本発明のプロジェクターは、投射画像の色ムラを抑制できるため、プレゼンテーションやホームシアターに用いられるプロジェクターとして利用できる。
【符号の説明】
【００４２】
１・・・プロジェクター、１Ａ・・・プロジェクター本体、１Ｂ・・・天井投射用着脱装置、４・・・反射ミラー、４Ａ・・・反射面、５Ａ・・・１／８波長板（位相差板）、５Ｂ・・・１／４波長板（位相差板）、６・・・カラーフィルター、３６・・・投射レンズ（投射光学装置）、３５１・・・液晶パネル（光変調装置）、３５５・・・クロスダイクロイックプリズム（色合成光学装置）、ＲＳ・・・天井面（被投射面）、ＳＣ・・・スクリーン（被投射面）。
【図１】
2010262124.tif 000003
【図２】
2010262124.tif 000004
【図３】
2010262124.tif 000005
【図４】
2010262124.tif 000006
【図５】
2010262124.tif 000007
【図６】
2010262124.tif 000008
【図７】
2010262124.tif 000009
【図８】
2010262124.tif 000010